(57)【要約】 【課題】複数のシリンダーロールを収容でき、支管押さえによる支管の保持の作業を容易に行うことのできる利便性の高いシリンダーロール用コンテナを提供する。【解決手段】まず支管押さえ３６０の一方の端部を受け部３１０の一方の端部保持部３１５に挿入し、次に支管押さえ３６０をストッパー部３１６の開放部３１７を通過させてストッパー部３１６の内部筒状部に移動させ、さらに支管押さえ３６０を受け部３１０の他方の端部方向に移動させ支管押さえ３６０の他方の端部を受け部３１０の他方の端部保持部３１５に挿入する。係止部３６７がストッパー部３１６の間の位置となった状態で支管押さえ３６０を回転させ係止部３６７がストッパー部３１６の間に入りこれらが干渉する状態とする。その結果、支管押さえ３６０は、受け部３１０の上縁に固定設置された状態となり、シリンダーロールの支管端部がロール受け３０１に保持される。【選択図】    図２
0003187627.tif 000002
【実用新案登録請求の範囲】
【請求項１】
パレットと、
前記パレットの周縁に沿って立設され、前記パレット上に内部収容空間を形成する側板と、
前記内部収容空間の上部開口を閉塞する上蓋と
前記パレット上に対向設置され、各々、収容対象のシリンダーロールの支管端部を保持する一対のロール受けとを有し、
前記ロール受けの各々は、前記パレット上に設置され前記支管端部を支持する支管受け部を複数有する受け部と、前記受け部の上辺に沿って着脱可能に装着され、前記複数の支管受け部各々の上部開口を一括的に閉塞して当該複数の支管受け部に支持されたシリンダーロールの支管端部を押さえる支管押さえとを少なくとも有する
ことを特徴とするシリンダーロール用コンテナ。
【請求項２】
前記受け部は、当該受け部の前記上辺の両端部に設置され、前記支管押さえが通過可能な筒状の端部保持部と、当該受け部の前記上辺の中央部に設置され、当該受け部の前記上辺に沿って装着される前記支管押さえに沿って突出形成されたストッパー部とを有し、
前記支管押さえは、前記受け部の上辺に沿って装着された際に前記ストッパー部と対応する位置に設けられ、当該ストッパー部と係合する係合部を有する
ことを特徴とする請求項１に記載のシリンダーロール用コンテナ。
【請求項３】
前記受け部の前記ストッパー部は、複数の板状凸部であり、
前記支管押さえの前記係合部は、前記複数の凸部の内側又は外側のいずれかにおいて当該支管押さえより突出する複数の凸部である
ことを特徴とする請求項２に記載のシリンダーロール用コンテナ。
【請求項４】
前記受け部の前記ストッパー部は、板状凸部であり、
前記支管押さえの前記係合部は、中央部に前記受け部の前記ストッパー部の前記板状凸部が通過する開口が形成された板状部である
ことを特徴とする請求項２に記載のシリンダーロール用コンテナ。
【請求項５】
前記受け部は、１以上のシリンダーロールの支管端部を保持する一対の第１の受け部と、前記第１の受け部とは別途独立に前記パレット上に設置され、１以上のシリンダーロールの支管端部の支管端部を保持する一対の第２の受け部とを有する
ことを特徴とする請求項１〜４のいずれかに記載のシリンダーロール用コンテナ。
【考案の詳細な説明】
【技術分野】
【０００１】
本考案は、複数のシリンダーロールを収容して搬送等するためのシリンダーロール用コンテナに関する。
【背景技術】
【０００２】
シリンダーロールあるいはロール製品を収容して搬送等をするためのコンテナとしては、例えば、特許文献１に記載されているようなコンテナが知られている。特許文献１に記載のコンテナでは、ロール製品は、支管の両端部を受け台（３０）により支持され、その上部を押さえ部材（４０）により押えられ、これによりパレット４の上に固定配置され、搬送等に供されている。
【先行技術文献】
【特許文献】
【０００３】
【特許文献１】特開２００８−２９７０１７号公報
【考案の概要】
【考案が解決しようとする課題】
【０００４】
しかしながら、上述した引用文献１に記載のコンテナは、１の受け台（３０）に対して１の押さえ部材（４０）が配置されており、従って、各支管の各端部ごとに押え部材のセッティング操作をしなければならず、その操作が面倒であるとの課題がある。特に、複数の、そして理想的には多数のシリンダーロールあるいはロール製品を収容するコンテナにおいては、その操作の面倒さは一層高まると考えられ、より容易な操作で押え部材をセットできるコンテナが要望されている。
【０００５】
また、そのようなシリンダーロールあるいはロール製品用のコンテナにおいては、１のコンテナにより多数のシリンダーロールあるいはロール製品を収容したいという要望がある。しかしながら、上述した引用文献１に例示されている形態もそうであるように、２本程度のシリンダーロールあるいはロール製品を収容するのが通常であり、たとえば５本以上というような多数のシリンダーロールあるいはロール製品を収容できるコンテナで汎用的なものはこれまでなかった。
【０００６】
本考案は前述したような課題に鑑みてなされたものであって、その目的は、シリンダーロールを収容し、保管、搬送等を行うことができるシリンダーロール用コンテナであって、複数のシリンダーロールを収容することができるとともに、複数のシリンダーロールを収容しながらも支管押さえによる支管の保持の作業を容易に行うことのできる極めて利便性の高いシリンダーロール用コンテナを提供することにある。
【課題を解決するための手段】
【０００７】
前記課題を解決するために、本願考案のシリンダーロール用コンテナは、パレットと、前記パレットの周縁に沿って立設され、前記パレット上に内部収容空間を形成する側板と、前記内部収容空間の上部開口を閉塞する上蓋と、前記パレット上に対向設置され、各々、収容対象のシリンダーロールの支管端部を保持する一対のロール受けとを有し、前記ロール受けの各々は、前記パレット上に設置され前記支管端部を支持する支管受け部を複数有する受け部と、前記受け部の上辺に沿って着脱可能に装着され、前記複数の支管受け部各々の上部開口を一括的に閉塞して当該複数の支管受け部に支持されたシリンダーロールの支管端部を押さえる支管押さえとを少なくとも有することを特徴とする。
【０００８】
好適には、前記受け部は、当該受け部の前記上辺の両端部に設置され、前記支管押さえが通過可能な筒状の端部保持部と、当該受け部の前記上辺の中央部に設置され、当該受け部の前記上辺に沿って装着される前記支管押さえに沿って突出形成されたストッパー部とを有し、前記支管押さえは、前記受け部の上辺に沿って装着された際に前記ストッパー部と対応する位置に設けられ、当該ストッパー部と係合する係合部を有することを特徴とする。
【０００９】
好適には、前記受け部の前記ストッパー部は、複数の板状凸部であり、前記支管押さえの前記係合部は、前記複数の凸部の内側又は外側のいずれかにおいて当該支管押さえより突出する複数の凸部であることを特徴とする。
【００１０】
好適には、前記受け部の前記ストッパー部は、板状凸部であり、前記支管押さえの前記係合部は、中央部に前記受け部の前記ストッパー部の前記板状凸部が通過する開口が形成された板状部であることを特徴とする。
【００１１】
好適には、前記受け部は、１以上のシリンダーロールの支管端部を保持する一対の第１の受け部と、前記第１の支管押さえとは別途独立に前記パレット上に設置され、１以上のシリンダーロールの支管端部を保持する一対の第２の受け部とからなることを特徴とする。
【考案の効果】
【００１２】
本考案によれば、シリンダーロールを収容し、保管、搬送等を行うことができるシリンダーロール用コンテナであって、複数のシリンダーロールを収容することができるとともに、複数のシリンダーロールを収容しながらも支管押さえによる支管の保持の作業を容易に行うことのできる極めて利便性の高いシリンダーロール用コンテナを提供することができる。
【図面の簡単な説明】
【００１３】
【図１】図１は、本考案の第１実施形態のシリンダーロール用コンテナの構成を示す分解斜視図である。
【図２】図２は、図１に示したシリンダーロール用コンテナのロール受けの構成を示す斜視図である。
【図３】図３は、図２に示したロール受けの構成を詳細に説明するための図であり、図３（Ａ）は支管押さえ装着前の受け部の平面図であり、図３（Ｂ）は支管押さえを装着した受け部の平面図であり、図３（Ｃ）は支管押さえを装着した受け部の正面図であり、図３（Ｄ）は支管押さえを装着した受け部の側面図であり、図３（Ｅ）は図３（Ｄ）の領域Ｆの拡大図である。
【図４】図４は、本考案の第２実施形態のシリンダーロール用コンテナの構成を示す分解斜視図である。
【図５】図５は、図４に示したシリンダーロール用コンテナのロール受けの第１の受け部及び第１の支管押さえの構成を示す斜視図である。
【図６】図６は、図５に示した第１の受け部及び第１の支管押の構成を詳細に説明するための図であり、図６（Ａ）は第１の支管押さえ装着前の第１の受け部の平面図であり、図６（Ｂ）は第１の支管押さえを装着した第１の受け部の平面図であり、図６（Ｃ）は第１の支管押さえを装着した第１の受け部の正面図であり、図６（Ｄ）は第１の支管押さえを装着した第１の受け部の側面図であり、図６（Ｅ）は図６（Ｄ）の領域Ｆの拡大図である。
【図７】図７は、図４に示したシリンダーロール用コンテナのロール受けの第２の受け部及び第２の支管押さえの構成を示す斜視図である。
【図８】図８は、図７に示した第２の受け部及び第２の支管押さえの構成を詳細に説明するための図であり、図８（Ａ）は第２の支管押さえを装着した第２の受け部の平面図であり、図８（Ｂ）は第２の支管押さえを装着した第２の受け部の正面図であり、図８（Ｃ）は第２の支管押さえを装着した第２の受け部の側面図であり、図８（Ｄ）は図８（Ｃ）の領域Ｆの拡大図である。
【考案を実施するための形態】
【００１４】
第１実施形態
本考案のシリンダーロール用コンテナの第１実施形態について図１〜図３を参照して説明する。
図１は、本考案の第１実施形態に係るシリンダーロール用コンテナ１の構成を示す分解斜視図である。図１に示すように、シリンダーロール用コンテナ１は、主要な構成部として、パレット１００、コーナーパイプ２００、ロール受け３０１、側板４００及び上蓋５００を有する。
【００１５】
パレット１００は、シリンダーロール用コンテナ１の搬送台となる扁平な直方体形状の部材であり、上面にシリンダーロール用コンテナ１の物品収容空間が形成される基台である。パレット１００の側面にはリフト用孔１０１が形成されており、これにフォークリフトの爪部が差し込まれることによりシリンダーロール用コンテナ１はフォークリフトに支持されて持ち上げられ移動され、車両、船舶、航空機等の輸送手段に対する積み込みや積み下ろし、あるいは倉庫等の保管手段に対する搬入や搬出等が行われる。本実施形態においてパレット１００は、ステンレスやアルミニウム等の金属の角材が溶接されて形成されたものであるが、樹脂等が成形されて形成されたいわゆる樹脂パレットであってもよい。
【００１６】
パレット１００の下面四隅の角部は、上蓋５００の上面四隅に形成されているズレ防止金具５１０と係合する係合部１０２をなす。後述するように、パレット１００の係合部（下角部）１０２が、下段に配置されるシリンダーロール用コンテナ１の上蓋５００のズレ防止金具５１０上に載置されることにより、シリンダーロール用コンテナ１は相互に横ずれが防止されて順次段積みされる。
【００１７】
パレット１００の長手方向側面の両側端部近くには、リフト用孔１０１内において上面から下方向に突出したベルト掛け１０３が形成されている。このベルト掛け１０３を利用してベルトが掛けられることにより、シリンダーロール用コンテナ１の内部収容空間を囲み閉塞するように設置された側板４００及び上蓋５００は、開梱不能に強固にパレット１００と一体化される。
【００１８】
パレット１００上面の四隅には、各々、断面矩形のコーナーパイプ２００が固定立設されている。各コーナーパイプ２００のパレット１００の周縁に沿った方向を指向する２側面には、各々、断面Ｕ字状の側板設置溝２１０が設置されている。その結果、パレット１００の周縁に沿って隣接する２本のコーナーパイプ２００間においては、その対向面に各々側板設置溝２１０が対向するように形成されることとなる。この対向する側板設置溝２１０に側板４００（第１の側板４１０及び第２の側板４２０）の両側縁がスライド挿入されることにより、側板４００はコーナーパイプ２００間に立設される。そして、４本のコーナーパイプ２００の間に各々側板４００が挿入設置されることにより、パレット１００上に周囲が閉塞されたシリンダーロールの収容空間が形成される。
【００１９】
なお、コーナーパイプ２００の高さは、上記収容空間にシリンダーロールを収容可能な高さがあればよく、収容対象のシリンダーロールの直径に応じて決定される。
【００２０】
パレット１００上面の長手方向両端部には、収容対象のシリンダーロールの支管を両端で受ける一対のロール受け３０１が設置されている。シリンダーロール用コンテナ１は、複数のシリンダーロールを収容可能な構成であり、ロール受け３０１は、複数のシリンダーロールの支管を受ける構造となっている。
【００２１】
ロール受け３０１の構成について、図２及び図３（Ａ）〜図３（Ｅ）を参照して詳細に説明する。
図２はロール受け３０１の斜視図であり、図３（Ａ）は受け部３１０に支管押さえ３６０が設置される前の状態を示す平面図である。また、図３（Ｂ）〜図３（Ｄ）は受け部３１０に支管押さえ３６０が設置された状態を示す図であって、図３（Ｂ）は平面図であり、図３（Ｃ）は正面図であり、図３（Ｄ）は側面図である。また、図３（Ｅ）は、図３（Ｄ）における領域Ｆの拡大図である。
【００２２】
ロール受け３０１は、受け部３１０と支管押さえ３６０とを有する。
受け部３１０は、シリンダーロールの支管端部が載置される部材であり、本実施形態のシリンダーロール用コンテナ１においては、５本のシリンダーロールを収容可能なように、５箇所の支管受け部３１１を有する構成となっている。各支管受け部３１１は、図示のごとく断面がＶ字型となっており、支管の直径が異なっていてもこれを水平径方向に移動不能に保持できるようになっている。支管受け部３１１の支管受け面には、緩衝材が貼着されており、シリンダーロールの支管の損傷を防止できるようになっている。
【００２３】
支管押さえ３６０は、シリンダーロール搬送時に、シリンダーロールの支管が受け部３１０から跳ね上がったり、受け部３１０中で振動をしたりすることを防止する部材である。支管押さえ３６０は、１本の断面円形の棒状部材（丸棒）により形成されており、５箇所の支管受け部３１１の上部開口を一括的に閉塞する構成となっている。
【００２４】
支管押さえ３６０を受け部３１０の上辺に沿って設置するために、受け部３１０の上縁上には、両端部に２箇所の筒状の端部保持部３１５と、中央部に２箇所の断面Ｌ字状のストッパー部３１６とが設置されている。また、支管押さえ３６０には、その中央部の２箇所に径方向に突出した係止部３６７が設置されている。
【００２５】
受け部３１０の端部保持部３１５は、受け部３１０の上縁に沿って両端が開口した筒状部である。端部保持部３１５の筒状内部は、支管押さえ３６０が通過可能なサイズに形成されている。
【００２６】
また、受け部３１０のストッパー部３１６は、ストッパー部３１６と同様に受け部３１０の上縁に沿って両端が開口した筒状部において、さらにその側面に支管押さえ３６０が通過可能な開放部３１７が形成された部材である。２箇所のストッパー部３１６は、同方向にその開放部３１７が形成されており、支管押さえ３６０を横方向からストッパー部３１６の内部筒状部に収容可能な構成とされている。本実施形態においては、対向する一対の受け部３１０において、対向面とは反対側の外側となる面に支管押さえ３６０を挿入可能な開放部３１７が形成されている。従って、受け部３１０に対して、対向面の外側から支管押さえ３６０を受け部３１０の上縁に沿って設置可能な構成となっている。なお、２箇所のストッパー部３１６は、所定の間隔に形成されている。
【００２７】
支管押さえ３６０に形成されている係止部３６７は、図示のごとく支管押さえ３６０の軸方向に沿った板状部材であり、支管押さえ３６０から径方向に突出した部材である。また、２つの係止部３６７は、支管押さえ３６０の周方向の同じ方向に突出している。これら２つの係止部３６７の外側端部間の長さは、受け部３１０の２箇所のストッパー部３１６の間隔（内側端部間の長さ）と略等しい長さに形成されている。
【００２８】
このような支管押さえ３６０を受け部３１０に設置する方法について説明する。
まず、図３（Ａ）に示すように、支管押さえ３６０の一方の端部を、受け部３１０の一方の端部保持部３１５に内側から挿入する。そして、その一方の端部が端部保持部３１５の外側端部よりも突出する位置にまで支管押さえ３６０を移動させ、支管押さえ３６０の他方の端部が、受け部３１０の他方の端部保持部３１５の内側端部より内側に来る状態とする。
【００２９】
このようにして支管押さえ３６０の一方の端部が一方の端部保持部３１５に挿入された状態となったら、受け部３１０のストッパー部３１６に対して、開放部３１７が形成された方向に支管押さえ３６０が配置されるようにし、また、支管押さえ３６０を、係止部３６７がストッパー部３１６とは反対側となるような姿勢とする。
このような状態となったら、支管押さえ３６０を、ストッパー部３１６の開放部３１７を通過させてストッパー部３１６の内部筒状部の位置に移動させる。すなわち、支管押さえ３６０が受け部３１０の上縁に沿った位置に配置されるようにする。
【００３０】
そして、支管押さえ３６０を、図３（Ｂ）に示す矢印で示す他方の端部方向に軸方向に移動させ、支管押さえ３６０の他方の端部を受け部３１０の他方の端部保持部３１５に挿入する。この時、支管押さえ３６０の係止部３６７は、その周方向位置が受け部３１０のストッパー部３１６の開放部３１７と同じ位置となっているため、換言すればそのような位置に配置するため、支管押さえ３６０の係止部３６７は受け部３１０の開放部３１７を通過することとなる。すなわち、支管押さえ３６０の係止部３６７は受け部３１０のストッパー部３１６とは干渉せず、支管押さえ３６０は軸方向に移動可能な状態となっている。
【００３１】
そして、図３（Ｂ）及び図３（Ｃ）に示すように、支管押さえ３６０の係止部３６７が受け部３１０のストッパー部３１６の間の位置となった状態で、図３（Ｄ）及び図３（Ｅ）に示すように、支管押さえ３６０を回転させ、係止部３６７がストッパー部３１６の間に入る状態とする。その結果、図３（Ｂ）及び図３（Ｃ）に示すように、今度は、支管押さえ３６０の係止部３６７は受け部３１０のストッパー部３１６と干渉する状態となり、支管押さえ３６０は軸方向には移動不能となる。また、この状態において、支管押さえ３６０の両端部は端部保持部３１５により保持されているため、支管押さえ３６０は径方向に移動不能となる。その結果、支管押さえ３６０は、受け部３１０の上縁に沿って、受け部３１０の上縁上に固定設置された状態となる。
【００３２】
ロール受け３０１は、その下部にパレット１００の上面に平行な水平部３１２が形成されており、また、水平部３１２には、ボルトを通過させるための切り欠き、開口あるいはルーズ穴３１３（以下、単に切り欠き３１３と称する）が形成されている。一対のロール受け３０１は、各々、図１に示すように、この切り欠き３１３にボルト３１４が通過されて、パレット１００上の所望の位置に設置される。すなわち、一対のロール受け３０１は、収容対象のシリンダーロールの支管両端部の長さに応じたパレット１００上の所定の位置に各々設置される。そして、上述したように、支管押さえ３６０を用いてシリンダーロールの支管端部を各々受け部３１０の支管受け部３１１に保持することにより、シリンダーロールは、パレット１００上において一対の受け部３１０に保持された状態とされる。なお、切り欠き３１３としては、支管受けの長さを容易に変更可能な切り欠きあるいはルーズ穴を用いるのが好適である。
【００３３】
側板４００は、パレット１００の上部周縁に沿って立設され、シリンダーロール用コンテナ１の内部収容空間の側面を規定する部材である。側板４００は、図１に示すように、パレット１００の短手方向の周縁に沿って対向して立設される２枚の第１の側板４１０と、第１の側板４１０の対向する両側辺を連結するようにパレット１００の長手方向の周縁に沿って対向して立設される２枚の第２の側板４２０とを有する。
【００３４】
第１の側板４１０及び第２の側板４２０は、各々、２本のコーナーパイプ２００の対向面に形成されている側板設置溝２１０に両側縁がスライド挿入され、コーナーパイプ２００間に立設される。そして、２枚の第１の側板４１０及び２枚の第２の側板４２０が各々、４本のコーナーパイプ２００の間に順次挿入設置されることにより、パレット１００上に一対のロール受け３０１を介して保持収容されたシリンダーロールの周囲を閉塞する。
【００３５】
第１の側板４１０及び第２の側板４２０は、各々、面部材の周囲に、側部及び上下の金属製枠部材が装着された構成である。面部材は、例えばプラスチック段ボール板、合成樹脂板（発泡合成樹脂板を含む）、薄い金属板、合板あるいは繊維板等が用いられる。また枠部材は、例えば鋼材等で構成される。
【００３６】
上蓋５００は、パレット１００上に立設された側板４００（第１の側板４１０及び第２の側板４２０）により形成されるシリンダーロール用コンテナ１の内部収容空間の上部開口を閉塞する部材である。上蓋５００も、第１の側板４１０及び第２の側板４３０と同様に、プラスチック段ボール板、合成樹脂板（発泡合成樹脂板を含む）、薄い金属板、合板あるいは繊維板等で形成される面部材の周囲に、鋼材等の金属で構成される枠部材が装着された構成である。
【００３７】
上蓋５００の上面には、シリンダーロール用コンテナ１を順次段積み可能なように、ズレ防止金具５１０が形成されている。ズレ防止金具５１０は、パレット１００の四隅の係合部（下角部）１０２が載置される平面部とその外側に形成される上部方向に突出した縁部とを有する。ズレ防止金具５１０は、このような外側の縁部分が突出した構造により、結果的に平面部が凹部をなす構成となり、パレット１００の下面四隅の係合部（下角部）１０２の外側周囲を係止する。
【００３８】
なお、ズレ防止金具５１０の代わりに単にゴム板等の滑り止めを上蓋５００上に貼着してもよい。その場合は、パレット１００を単に下段のシリンダーロール用コンテナ１の上蓋５００の上に載置することにより複数のシリンダーロール用コンテナ１を段積みできる構成となる。段積み時の横ずれ防止手段としては、シリンダーロール用コンテナ１の搬送環境、搬送条件等に応じて適宜適当なものを設置すればよい。
【００３９】
上蓋５００の縁部のうち、長手方向の第２の側板４２０の上縁に対応する縁部の両側２箇所には、上蓋５００をシリンダーロール用コンテナ１の上部に保持するための上蓋固定用ゴムバンド５２０が装着されている。上蓋固定用ゴムバンド５２０は、第２の側板４２０の外面の両側２箇所に設置されたゴムバンド受け５２１に係合される。これにより、上蓋５００は、シリンダーロール用コンテナ１の上部から容易に離脱不能な状態に保持される。
【００４０】
シリンダーロール用コンテナ１は、このような構成を有する。
このように、シリンダーロール用コンテナ１においては、ロール受け３０１において、支管押さえ３６０を回転させることで、支管押さえ３６０の受け部３１０への設置すなわち支管受け部３１１の上部開口部の閉塞を行えるようになっており、また、支管押さえ３６０を同様に回転させることで、支管押さえ３６０の受け部３１０からの離脱すなわち支管受け部３１１の上部開口部の開放を行えるようになっている。また特に、本実施形態のシリンダーロール用コンテナ１においては、１の支管押さえ３６０の操作により５箇所の支管受け部３１１に対して同時に、その上部の開口の閉塞あるいは開放が行えるようになっている。
【００４１】
従って、複数のシリンダーロールの支管押さえによる支管の保持の作業を、極めて容易に行うことができる。その結果、多数のシリンダーロールのシリンダーロール用コンテナ１への収容あるいはシリンダーロール用コンテナ１からの搬出を効率よく行うことができ、極めて利便性の高いシリンダーロール用コンテナ１を提供することができる。
【００４２】
第２実施形態
本考案のシリンダーロール用コンテナの第２実施形態について図４〜図８を参照して説明する。
図４は、本考案の第２実施形態に係るシリンダーロール用コンテナ２の構成を示す分解斜視図である。図４に示すように、シリンダーロール用コンテナ２は、主要な構成部として、パレット１００、コーナーパイプ２００、ロール受け３０２、側板４００及び上蓋５００を有する。
なお、パレット１００、コーナーパイプ２００、側板４００及び上蓋５００の構成は、前述した第１実施形態のシリンダーロール用コンテナ１の対応各部の構成と同じなので、ここでは同一符号を用いるとともにその説明は省略する。以下においては、第１実施形態のシリンダーロール用コンテナ１とは異なるロール受け３０２の構成について説明する。
【００４３】
シリンダーロール用コンテナ２のロール受け３０２も、シリンダーロール用コンテナ１のロール受け３０１と同様に、パレット１００上面の長手方向両端部に設置され、収容対象のシリンダーロールの支管を両端で受ける部材である。
しかしながら、シリンダーロール用コンテナ２のロール受け３０２は、図４に示すように、４本のシリンダーロールの支管を収容保持可能な第１の受け部３２０とその上部開口を閉塞する第１の支管押さえ３７０、及び、１本のシリンダーロールの支管を収容保持可能な第２の受け部３３０とその上部開口を閉塞する第２の支管押さえ３８０とを有する構成である。
【００４４】
第１の受け部３２０及び第１の支管押さえ３７０の構成について、図５及び図６（Ａ）〜図６（Ｅ）を参照して説明する。
図５はロール受け３０２の第１の受け部３２０及び第１の支管押さえ３７０の斜視図であり、図６（Ａ）は第１の受け部３２０に第１の支管押さえ３７０が設置される前の状態を示す平面図である。また、図６（Ｂ）〜図６（Ｄ）は第１の受け部３２０に第１の支管押さえ３７０が設置された状態を示す図であって、図６（Ｂ）は平面図であり、図６（Ｃ）は正面図であり、図６（Ｄ）は側面図である。また、図６（Ｅ）は、図６（Ｄ）における領域Ｆの拡大図である。
【００４５】
第１の受け部３２０は、シリンダーロールの支管端部が載置される部材であり、４本のシリンダーロールを収容可能なように、４箇所の支管受け部３２１を有する構成となっている。各支管受け部３２１の構成、機能及び作用は、第１実施形態のシリンダーロール用コンテナ１の受け部３１０の支管受け部３１１の構成、機能及び作用と同一である。
【００４６】
第１の支管押さえ３７０は、シリンダーロール搬送時に、シリンダーロールの支管が第１の受け部３２０から跳ね上がったり、第１の受け部３２０中で振動をしたりすることを防止する部材である。第１の支管押さえ３７０は、１本の断面円形の棒状部材（丸棒）により形成されており、４箇所の支管受け部３２１の上部開口を一括的に閉塞する構成となっている。
【００４７】
第１の支管押さえ３７０を第１の受け部３２０の上縁に沿って設置するために、第１の受け部３２０の上縁上には、両端部に２箇所の筒状の端部保持部３２５と、中央部に１箇所の断面Ｌ字状のストッパー部３２６とが設置されている。また、第１の支管押さえ３７０には、その中央部の１箇所に径方向に突出し係合用開口３７８を有する係合部３７７が設置されている。
【００４８】
第１の受け部３２０の端部保持部３２５の構成、機能及び作用は、第１実施形態のシリンダーロール用コンテナ１の受け部３１０の端部保持部３１５の構成、機能及び作用と同一である。
【００４９】
また、第１の受け部３２０のストッパー部３２６は、端部保持部３２５と同様に第１の受け部３２０の上縁に沿って両端が開口した筒状部において、さらにその側面に第１の支管押さえ３７０が通過可能な開放部３２７が形成された部材である。シリンダーロール用コンテナ２においては、ストッパー部３２６の横方向に開放部３２７が形成されており、第１の支管押さえ３７０を横方向からストッパー部３２６の内部筒状部に収容可能な構成とされている。
【００５０】
第１の支管押さえ３７０に形成されている係合部３７７は、図示のごとく支管押さえ３６０の軸方向に沿った板状部材であり、第１の支管押さえ３７０から径方向に突出した部材である。係合部３７７の中央部には、係合用開口３７８が形成されている。
【００５１】
このような第１の支管押さえ３７０を第１の受け部３２０に設置する方法について説明する。
まず、図６（Ａ）に示すように、第１の支管押さえ３７０の一方の端部を、第１の受け部３２０の一方の端部保持部３２５に内側から挿入する。そして、その一方の端部が端部保持部３２５の外側端部よりも突出する位置にまで第１の支管押さえ３７０を移動させ、第１の支管押さえ３７０の他方の端部が、第１の受け部３２０の他方の端部保持部３２５の内側端部より内側に来る状態とする。
【００５２】
このようにして第１の支管押さえ３７０の一方の端部が一方の端部保持部３２５に挿入された状態となったら、同じく図６（Ａ）に示すように、第１の受け部３２０のストッパー部３２６に対して、開放部３２７が形成された方向に第１の支管押さえ３７０が配置されるようにし、また、第１の支管押さえ３７０を、係合部３７７がストッパー部３２６とは反対側となるような姿勢とする。
このような状態となったら、第１の支管押さえ３７０を、ストッパー部３２６の開放部３２７を通過させてストッパー部３２６の内部筒状部の位置に移動させる。すなわち、第１の支管押さえ３７０が第１の受け部３２０の上縁に沿った位置に配置されるようにする。
【００５３】
そして、第１の支管押さえ３７０を、図６（Ｂ）に示すように、他方の端部方向に軸方向に移動させ、第１の支管押さえ３７０の他方の端部を第１の受け部３２０の他方の端部保持部３２５に挿入する。この時、第１の支管押さえ３７０の係合部３７７は、その周方向位置が第１の受け部３２０のストッパー部３２６の開放部３２７と同じ位置となっているため、換言すればそのような位置に配置するため、第１の支管押さえ３７０の係合部３７７は第１の受け部３２０の開放部３２７を通過することとなる。すなわち、第１の支管押さえ３７０の係止部３７７は第１の受け部３２０のストッパー部３２６とは干渉せず、第１の支管押さえ３７０は軸方向に移動可能な状態となっている。
【００５４】
そして、図６（Ｂ）及び図６（Ｃ）に示すように、第１の支管押さえ３７０の係合部３７７が第１の受け部３２０のストッパー部３２６に対応する位置となった状態で、すなわち、第１の支管押さえ３７０の係合部３７７の係合用開口３７８に第１の受け部３２０のストッパー部３２６が嵌挿され得る配置となった状態で、図６（Ｄ）及び図６（Ｅ）に示すように、第１の支管押さえ３７０を回転させ、係合部３７７の係合用開口３７８にストッパー部３２６が嵌合される状態とする。
【００５５】
その結果、今度は、第１の支管押さえ３７０の係合部３７７は第１の受け部３２０のストッパー部３２６と干渉する状態となり、第１の支管押さえ３７０は軸方向には移動不能となる。また、この状態において、第１の支管押さえ３７０の両端部は端部保持部３２５により保持されているため、第１の支管押さえ３７０は径方向に移動不能となる。その結果、第１の支管押さえ３７０は、第１の受け部３２０の上縁に沿って、第１の受け部３２０の上縁上に固定設置された状態となる。
【００５６】
次に、第２の受け部３３０及び第２の支管押さえ３８０の構成について、図７及び図８（Ａ）〜図８（Ｄ）を参照して説明する。
図７は、ロール受け３０２の第２の受け部３３０及び第２の支管押さえ３８０の斜視図である。また、図８（Ａ）〜図８（Ｄ）は第２の受け部３３０に第２の支管押さえ３８０が設置される状態を示す図であって、図８（Ａ）は平面図であり、図８（Ｂ）は正面図であり、図８（Ｃ）は側面図であり、図８（Ｄ）は、図８（Ｃ）における領域Ｆの拡大図である。
【００５７】
第２の受け部３２０は、シリンダーロールの支管端部が載置される部材であり、１本のシリンダーロールを収容可能なように、１箇所の支管受け部３３１を有する構成となっている。支管受け部３３１は、上方が開口した断面矩形の凹部に形成されており、この凹部に収容対象のシリンダーロールの支管端部が挿入載置される。
【００５８】
第２の支管押さえ３８０は、シリンダーロール搬送時に、シリンダーロールの支管が第２の受け部３３０から跳ね上がったり、第２の受け部３３０中で振動をしたりすることを防止する部材である。第２の支管押さえ３８０は、長尺部分の閉塞部３８１と、短尺部分の係止部３８２とを有するＬ形状の棒状部材（丸棒）により形成されており、１箇所の支管受け部３３１の上部開口を閉塞する構成となっている。
【００５９】
第２の支管押さえ３８０を第２の受け部３３０の上部開口に設置するために、第２の受け部３３０の上部の支管受け部３３１の上部開口付近には、支管押さえ先端挿入孔３３５、支管押さえ通過孔３３６及び係止部３３７が設けられている。
【００６０】
支管押さえ先端挿入孔３３５は、第２の受け部３３０の支管受け部３３１の上部の一方の側壁部に設けられ、支管受け部３３１の内側から第２の支管押さえ３８０の長尺部分である閉塞部３８１の先端部が挿入される孔である。
【００６１】
支管押さえ通過孔３３６は、第２の受け部３３０の支管受け部３３１の上部の他方の側壁部の、支管押さえ先端挿入孔３３５と対向する位置に設けられ、第２の受け部３３０の外側側面部から第２の支管押さえ３８０の長尺部分である閉塞部３８１が挿入され、通過される孔である。
【００６２】
係止部３３７は、第２の受け部３３０の外側側面部の支管押さえ通過孔３３６の端部（開口部）付近に設けられた断面Ｌ字状の部材である。係止部３３７は、第２の支管押さえ３８０の閉塞部３８１が支管押さえ通過孔３３６及び支管押さえ先端挿入孔３３５に第２の受け部３３０の外部より挿入される場合には、閉塞部３８１とは干渉しない構成となっている。また、この際、係止部３８２が閉塞部３８１よりも上方に向いた姿勢である場合には、係止部３３７は、この係止部３８２にも干渉しない構成となっている。一方で、第２の支管押さえ３８０の係止部３８２が閉塞部３８１よりもした方に向いた姿勢である場合には、第２の受け部３３０の係止部３３７は、そのような姿勢の第２の支管押さえ３８０の係止部３８２と干渉する構成となっている。すなわち、係止部３３７は、第２の受け部３３０の外側側面部において、そのような高さ位置に設置されている。
【００６３】
また、係止部３３７の一の面（係止面）３３８は、支管押さえ通過孔３３６が形成されている第２の受け部３３０の外側面と、第２の支管押さえ３８０の係止部３８２を配置可能な間隔離れて対向する位置に形成されており、その係止部３３７の係止面３３８と第２の受け部３３０の外側面との間には、第２の支管押さえ３８０の係止部３８２が干渉せずに回動可能な開放部３３９に形成されている。
【００６４】
このような構成において、第２の受け部３３０に第２の支管押さえ３８０を設置する方法について説明する。
まず、図８（Ｂ）に示すように、第２の支管押さえ３８０の長尺部分である閉塞部３８１を第２の受け部３３０の外側から支管押さえ通過孔３３６に挿入する。この際、第２の支管押さえ３８０の係止部３８２が上方に向いていれば、第２の支管押さえ３８０は第２の受け部３３０の係止部３３７とは干渉をしないため、第２の支管押さえ３８０は容易に支管押さえ通過孔３３６に挿入可能となる。そして、支管押さえ通過孔３３６に挿入された第２の支管押さえ３８０の先端部は、支管押さえ通過孔３３６を通過して第２の受け部３３０の支管受け部３３１に達し、さらに、支管受け部３３１の対向する側壁に形成された支管押さえ先端挿入孔３３５に挿入される。この状態で、すでに、支管受け部３３１の上部開口は第２の支管押さえ３８０の閉塞部３８１により閉塞された状態となる。
【００６５】
そしてこの状態で、第２の支管押さえ３８０が回動され、第２の支管押さえ３８０の係止部３８２は、第２の受け部３３０の係止部３３７の係止面３３８と第２の受け部３３０の外側面との間の開放部３３９において下方を向くように配置される。これにより、第２の支管押さえ３８０の係止部３８２は第２の受け部３３０の係止部３３７の係止面３３８と軸方向に干渉することとなり、第２の支管押さえ３８０の軸方向には移動不能となる。その結果、第２の受け部３３０の支管受け部３３１の上部開口は、第２の支管押さえ３８０により閉塞された状態に維持されることとなる。
【００６６】
図５及び図７に示すように、ロール受け３０２の第１の受け部３２０及び第２の受け部３３０には、各々、その下部にパレット１００の上面に平行な水平部３２２，３３２が形成されており、また、水平部３２２，３３２には、ボルトを通過させるための切り欠き、開口あるいはルーズ穴３２３，３３３（以下、単に切り欠き３２３，３３３と称する）が形成されている。
【００６７】
図４に示すように、各々対向して配置される一対の第１の受け部３２０及び第２の受け部３３０は、各々、この切り欠き３２３，３３３に、ボルト３２４，３３４が通過されて、パレット１００上の所望の位置に設置される。すなわち、各々一対の第１の受け部３２０及び第２の受け部３３０は、収容対象のシリンダーロールの支管両端部の長さに応じたパレット１００上の所定の位置に各々設置される。そして、上述したように、第１の支管押さえ３７０及び第２の支管押さえ３８０を用いてシリンダーロールの支管端部を各々第１の受け部３２０及び第２の受け部３３０の支管受け部３２１，３３１に保持することにより、シリンダーロールは、パレット１００上において各々一対の第１の受け部３２０及び第２の受け部３３０に保持された状態とされる。なお、切り欠き３２３，３３３としては、支管受けの長さを容易に変更可能な切り欠きあるいはルーズ穴を用いるのが好適である。
【００６８】
シリンダーロール用コンテナ２は、このような構成を有する。
このように、シリンダーロール用コンテナ２においては、ロール受け３０２において、支管押さえ３７０，３８０を各々回転させることで、支管押さえ３７０，３８０の受け部３２０，３３０への設置すなわち支管受け部３２１，３３１の上部開口部の閉塞を行えるようになっており、また、支管押さえ３７０，３８０を同様に回転させることで、支管押さえ３７０，３８０の受け部３２０，３３０からの離脱すなわち支管受け部３２１，３３１の上部開口部の開放を行えるようになっている。
【００６９】
従って、複数のシリンダーロールの支管押さえによる支管の保持の作業を容易に行うことができる。その結果、多数のシリンダーロールのシリンダーロール用コンテナ２への収容あるいはシリンダーロール用コンテナ２からの搬出を効率よく行うことができ、利便性の高いシリンダーロール用コンテナ２を提供することができる。
【００７０】
また、特にシリンダーロール用コンテナ２においては、ロール受け３０２において、各々別途独立にパレット１００上に設置可能な、第１の受け部３２０と第１の支管押さえ３７０、及び、第２の受け部３３０と第２の支管押さえ３８０の２組の受け部を具備している。従って、支管の軸長さの異なる複数のシリンダーロールを、効率よく１つのシリンダーロール用コンテナ２に収容することができ、極めて汎用性が高いシリンダーロール用コンテナ２を提供することができる。
【００７１】
なお、本考案は、上述した実施形態に限定されるものではなく、本考案の範囲内で種々に改変することができる。
【００７２】
たとえば、１つの一対の受け部で支持するシリンダーロールの数は、第１実施形態のような５本、あるいは、第２実施形態のような１本あるいは４本に限られるものではなく、任意の数でよい。
【００７３】
また、第１実施形態において、支管押さえ３６０の２つの係止部３６７は、受け部３１０の２つのストッパー部３２６の内側に配置されるものとし、これにより、支管押さえ３６０の軸方向の移動が規制されるものとしたが、例えば、係止部３６７は、受け部３１０の２つのストッパー部３２６の外側に配置されるものとしてもよい。そのような構成であっても、支管押さえ３６０の軸方向移動は制限されることとなり、第１実施形態の場合と同様の作用効果を得ることができる。
【符号の説明】
【００７４】
１、２…シリンダーロール用コンテナ
１００…パレット
１０１…リフト用孔
１０２…係合部（下角部）
１０３…ベルト掛け
２００…コーナーパイプ
２１０…側板設置溝
３０１，３０２…ロール受け
３１０，３２０，３３０…受け部
３１１，３２１，３３１…支管受け部
３１２，３２２，３３２…水平部
３１３，３２３，３３３…切り欠き
３１４，３２４，３３４…ボルト
３１５，３２５…端部保持部
３１６，３２６…ストッパー部
３１７，３２７…開放部
３３５…支管押さえ先端挿入孔
３３６…支管押さえ通過孔
３３７…係止部
３３８…係止面
３３９…開放部
３６０，３７０，３８０…支管押さえ
３６７…係止部
３７７…係合部
３７８…係合用開口
３８１…閉塞部
３８２…係止部
４００…側板
４１０…第１の側板
４２０…第２の側板
５００…上蓋
５１０…ズレ防止金具
５２０…上蓋固定用ゴムバンド
５２１…ゴムバンド受け
【図１】
0003187627.tif 000003
【図２】
0003187627.tif 000004
【図３】
0003187627.tif 000005
【図４】
0003187627.tif 000006
【図５】
0003187627.tif 000007
【図６】
0003187627.tif 000008
【図７】
0003187627.tif 000009
【図８】
0003187627.tif 000010